(57)【要約】【課題】閉鎖されたホルダ内からの円滑な排水を可能にしつつホルダ内への水浸入を確実に防止できる電子式警音器を提供する。【解決手段】一方に開口する開放容器状のハウジング１と、当該ハウジング１の開口に覆着されたカバー体７と、ハウジング１内に開口を一致させて収容された開放容器状のホルダ２と、当該ホルダ２の開口を閉鎖するように張設された振動板４と、当該振動板４を起振する圧電体６と、ホルダ２内に収容された圧電体駆動回路とを備える。設置時に最下点に位置するハウジング１の壁部に水抜き孔１４を貫通形成するとともに、ホルダ２の壁部には、当該ホルダ２と前記ハウジング１の間に形成された空間Ｓを介して水抜き孔１４と連通する水抜き孔２４を貫通形成する。【選択図】        図２
2016090835.tif 000002
【特許請求の範囲】
【請求項１】
一方に開口する開放容器状のハウジングと、当該ハウジングの開口に覆着されたカバー体と、前記ハウジング内に開口を一致させて収容された開放容器状のホルダと、当該ホルダの開口を閉鎖するように張設された振動板と、当該振動板を起振する圧電体と、前記ホルダ内に収容された圧電体駆動回路とを備えた電子式警音器であって、前記ハウジングの、設置時に下方になる壁部に第１水抜き孔を貫通形成するとともに、前記ホルダの壁部には、当該ホルダと前記ハウジングの間に形成された空間を介して前記第１水抜き孔と連通する第２水抜き孔を貫通形成した電子式警音器。
【請求項２】
前記第１水抜き孔と前記第２水抜き孔を、互いに異なる位置及び／又は異なる方向へ形成した請求項１に記載の電子式警音器。
【請求項３】
前記第１水抜き孔を前記ハウジングの周壁部に形成するとともに、前記第２水抜き孔を前記ホルダの底壁部に形成した請求項２に記載の電子式警音器。
【請求項４】
前記ハウジングおよびカバー体を金属製とした請求項１ないし３のいずれかに記載の電子式警音器。
【発明の詳細な説明】
【技術分野】
【０００１】
本発明は圧電体により振動板を起振して警報音を生させる電子式警音器に関し、特に水浸入の防止と円滑な排水を実現した電子式警音器に関するものである。
【背景技術】
【０００２】
特許文献１には、圧電振動板や電気部品を設置したケース本体を、一端が閉鎖された筒状の外ケース内に圧入して、圧電振動板等を外ケース内に密閉した構造の圧電ブザー（電子式警音器）が示されている。そしてこの場合、外ケースの開口を閉鎖するケース本体のフランジ部外周と外ケース内周との間には一部に隙間を形成して排水溝としてある。
【先行技術文献】
【特許文献】
【０００３】
【特許文献１】特開２０１０−２７３４７３
【発明の概要】
【発明が解決しようとする課題】
【０００４】
しかし、上記従来の圧電ブザーにける排水溝はケース本体（本発明のホルダに相当）と外ケースの間に単に隙間を形成しただけのものであるから、ケース本体内からの排水はともかく、ケース本体内への水の浸入を確実に防止することができないという問題があった。
【０００５】
そこで、本発明はこのような課題を解決するもので、閉鎖されたホルダ内からの円滑な排水を可能にしつつケース内への水浸入を確実に防止できる電子式警音器を提供することを目的とする。
【課題を解決するための手段】
【０００６】
上記目的を達成するために、本第１発明では、一方に開口する開放容器状のハウジング（１）と、当該ハウジング（１）の開口に覆着されたカバー体（７）と、前記ハウジング（１）内に開口を一致させて収容された開放容器状のホルダ（２）と、当該ホルダ（２）の開口を閉鎖するように張設された振動板（４）と、当該振動板（４）を起振する圧電体（６）と、前記ホルダ（２）内に収容された圧電体駆動回路とを備えた電子式警音器であって、前記ハウジングの、設置時に下方になる壁部に第１水抜き孔（１４）を貫通形成するとともに、前記ホルダ（２）の壁部には、当該ホルダ（２）と前記ハウジング（１）の間に形成された空間（Ｓ）を介して前記第１水抜き孔（１４）と連通する第２水抜き孔（２４）を貫通形成する。
【０００７】
本第１発明において、ハウジングの第１水抜き孔を経て水が空間内へ浸入しても、その水圧は、容量のある上記空間内で急速に低減され、この結果、水がさらに第２水抜き孔に浸入してホルダ内へ至ることは無く、圧電体駆動回路部への水浸入が効果的に防止される。さらに、ホルダはその外周全周を、ハウジングとハウジングの前方開口に覆着されたカバー体とで覆われているから、警音器全体が水を被ってもホルダの内空間の温度が急速に低下して気圧が下がることは無く、これによってもホルダ内への水の浸入が防止される。一方、ホルダ内で結露等によって生じた水は、ホルダの第２水抜き孔とこれに連通するハウジングの第１水抜き孔を経てハウジング外へ放散される。
【０００８】
本第２発明では、前記第１水抜き孔と前記第２水抜き孔を、互いに異なる位置及び／又は異なる方向へ形成する。
【０００９】
本第２発明においては、第１および第２の水抜き孔が互いに異なる位置及び／又は異なる方向へ形成されているから、水の浸入がより効果的に防止される。
【００１０】
本第３発明では、前記第１水抜き孔（１４）を前記ハウジング（１）の周壁部に形成するとともに、前記第２水抜き孔（２４）を前記ホルダ（２）の底壁部に形成する。
【００１１】
本第３発明においては、第１および第２の水抜き孔が互いに異なる位置でかつ略直交する方向へ形成されるから、水の浸入がさらに効果的に防止される。
【００１２】
本第４発明では、前記ハウジング（１）およびカバー体（７）を金属製とする。
【００１３】
本第４発明においては、圧電体駆動回路を内蔵したホルダを樹脂製にしても、当該ホルダを覆う金属製ハウジングとカバー体とで飛び石等に対してホルダを有効に保護することができる。
【００１４】
なお、上記カッコ内の符号は、後述する実施形態に記載の具体的手段との対応関係を示すものである。
【発明の効果】
【００１５】
以上のように、本発明の電子式警音器によれば、閉鎖されたホルダ内からの円滑な排水が可能であるとともに、ホルダ内への水浸入は確実に防止することができる。
【図面の簡単な説明】
【００１６】
【図１】電子式警音器の全体断面図で、断面は図２のI−I線に沿ったものである。
【図２】電子式警音器の全体背面図である。
【図３】ハウジングの全体断面図で、断面は図２のI−I線に沿ったものである。
【図４】ホルダの全体断面図で、断面は図５のIV―IV線に沿ったものである。
【図５】ホルダの全体背面図である。
【発明を実施するための形態】
【００１７】
なお、以下に説明する実施形態はあくまで一例であり、本発明の要旨を逸脱しない範囲で当業者が行う種々の設計的改良も本発明の範囲に含まれる。
【００１８】
図１に本発明の電子式警音器の全体断面図を示し、図２はその全体背面図を示す。なお、図１は図２のI−I線に沿った断面図である。電子式警音器は円形開放容器状の金属板ハウジング１を備えており、ハウジング１の底壁（背壁）中心には取付用のステー１１が、植込みボルト１２に螺合させたナット１３によって結合されている。ステー１１は水平に延びており（図２）、ステーを介して車両等に取り付けられた状態でその上下方向は図２の上下方向と一致している。すなわち、図２の白矢印方向が上方である。
【００１９】
ハウジング１内にはこれに沿って開放容器状の樹脂製ホルダ２が挿置してあり、ホルダ２の底壁（背壁）上にはこれと平行に回路基板３が配設されている。回路基板３はホルダ２の内周壁に突出形成された段付き支持部２１の段部に載置支持されており、当該回路基板３上には警音回路が設けられている。なお、警音回路の回路部品等は図示を省略してある。なお、ホルダ２の底壁（背壁）外周部とハウジング１の底壁（背壁）外周部の間には環状の空間Ｓが形成されている。
【００２０】
ホルダ２の前方開口を閉鎖して上記回路基板３と平行に振動板としての金属製ダイヤフラム板４が張設されており、ダイヤフラム板４はその外周縁が、ホルダ２の開口縁とホルダ２の開口に覆着された樹脂製共鳴器５の外周縁との間に挟持されている。共鳴器５には外周部の複数個所（本実施形態では周方向等間隔で４箇所）に音出力口５１が設けられている。
【００２１】
ダイヤフラム板４には裏面（図１の下面）中心部に円形の圧電体６が接合されている。回路基板３からは圧電体６の一方の電極（図示略）と、圧電体６の他方の電極（図示略）へ通じるダイヤフラム板４とへ、それぞれ出力線３１，３２が延びている。また、回路基板３の一端には、ハウジング１外の背後へ延びる給電コネクタ３３の一端が接続されている。なお、共鳴器５の前外方は、外周縁をハウジング１の開口縁にかしめ結合された金属製カバー体７で閉鎖されており、当該カバー体７の板面には長穴状の放音口７１が互いに平行に複数形成されている。
【００２２】
図３にはハウジング１の全体断面図を示す。断面は図２のI−I線に沿ったもので、図２に示す設置姿勢で下側になる、本実施形態では最下点になるハウジング１の周壁部にこれを上下方向へ貫通して円形の水抜き孔１４が設けられている。なお、ハウジング１の底壁（背壁）には、給電コネクタ３３(図１)が貫通するホルダ２の突出部２２（図１）を挿通させる開口１５、植込みボルト１２を挿通させる開口１６、およびホルダ２の底面（背面）複数個所に突設されたボス部２３を挿通させる開口１７がそれぞれ形成されている。
【００２３】
図４にはホルダ２の全体断面図を示し、図５にはホルダ２の全体背面図を示す。図４の断面部は図５のIV―IV線に沿ったものである。ホルダ２の底壁(背壁)には最下点に近い位置にこれを前後方向（図４の上下方向）へ貫通して円形の水抜き孔２４が設けられている。また、ホルダ２の内周壁には既述のように段付き支持部２１が形成されており、その底壁（背壁）外面には給電コネクタ３３（図１）が貫通する突出部２２やボス部２３が形成されている。
【００２４】
ハウジング１の水抜き穴１４は、当該ハウジング１の内周面とハウジング容器内に挿入されたホルダ２の外周面との間に形成された小間隙を経て上記空間Ｓ（図１）に通じている。この空間Ｓにはホルダ２の底壁（背壁）を貫通した水抜き孔２４も通じており、結局、水抜き孔１４と水抜き孔２４は、互いに異なる位置で互いに略直交した異なる方向へ形成されるとともに、空間Ｓを介して互いに連通している。
【００２５】
このような構造の電子式警音器において、水抜き孔１４を経て水が空間Ｓ内へ浸入しても、その水圧は、容量のある上記空間Ｓ内で急速に低減される。この結果、水がさらに水抜き孔２４内に浸入してホルダ２内の圧電体駆動回路部へ至ることはない。本実施形態では、両水抜き孔１４，２４は互いに異なる位置で略直交する異なる方向へ形成されているから、水の浸入をより効果的に防止することができる。
【００２６】
本実施形態では、ホルダ２はその外周全周を、ハウジング１とハウジング１の前方開口に覆着されたカバー体７とで覆われているから、警音器全体が水を被ってもホルダ２の内空間の温度が急速に低下して気圧が下がることは無く、これによってもホルダ２内への水の浸入が防止される。また、ホルダ２の外周を覆うハウジング１及びカバー体７は金属製としてあるから、飛び石等に対して圧電体駆動回路を内蔵した樹脂製のホルダ２を有効に保護することができる。なお、ホルダ２内で結露等によって生じた水は、水抜き孔２４とこれに連通する水抜き孔１４を経てハウジング１外へ放散される。
【００２７】
なお、水抜き孔１４，２４は必ずしも略直交した異なる方向へ形成される必要はなく、略直交する以外の異なる方向でも良い。また、水抜き孔１４，２４は空間Ｓを介して同一方向へ、さらには同一位置に形成されていても良い。
【符号の説明】
【００２８】
１…ハウジング、１４…水抜き孔（第１水抜き孔）、２…ホルダ、２４…水抜き孔（第２水抜き孔）、３…回路基板、４…ダイヤフラム板（振動板）、６…圧電体、７…カバー体、Ｓ…空間。
【図１】
2016090835.tif 000003
【図２】
2016090835.tif 000004
【図３】
2016090835.tif 000005
【図４】
2016090835.tif 000006
【図５】
2016090835.tif 000007